(57)【特許請求の範囲】
【請求項１】
ホスト側交換機がＶ５インタフェースで接続されている一又は二以上のリモート側交換機のうち、リセットの必要性があるリモート側交換機に対してＬＡＰＶ５プロトコル上のレイヤ２のリンク確立時に送信される特定のメッセージをリセット要求データとして定めて送信する第１のステップと、
前記リセット要求データを受信した前記リモート側交換機が自律的にリセット動作を行う第２のステップと
を含むことを特徴とするリモート側交換機のリセット方法。
【請求項２】
前記第１のステップは、リセットの必要性があるリモート側交換機が複数ある場合は、該リセットの必要性がある複数のリモート側交換機に対して、同一の内容の前記特定のメッセージを前記リセット要求データとして、同時に出力することを特徴とする請求項１記載のリモート側交換機のリセット方法。
【請求項３】
単一のホスト側交換機と、該ホスト側交換機内のＶ５関連メッセージの一又は二以上の終端装置に対応してＶ５インタフェースで接続された一又は二以上のリモート側交換機とよりなり、該リモート側交換機はそれぞれ一又は二以上の加入者電話機を収容する交換機システムにおいて、
前記ホスト側交換機は、前記一又は二以上のリモート側交換機のうちリセットの必要性があるリモート側交換機に対してＬＡＰＶ５プロトコル上のレイヤ２のリンク確立時に送信される特定のメッセージをリセット要求データとして定めて前記終端装置を介して送信する送信手段を有し、前記リモート側交換機は、前記特定のメッセージを受信したときは自律的にリセットするリセット手段を備えることを特徴とする交換機システム。
【請求項４】
前記送信手段は、リセットの必要性がある前記リモート側交換機が複数ある場合は、該リセットの必要性がある複数のリモート側交換機に対して、同一の内容の前記特定のメッセージを前記リセット要求データとして、同時に送信することを特徴とする請求項３記載の交換機システム。
【発明の詳細な説明】
【０００１】
【発明の属する技術分野】
本発明はリモート側交換機のリセット方法及び交換機システムに係り、特にＶ５インタフェースでホスト側交換機に接続されたリモート側交換機に対してリセットを行うリモート側交換機のリセット方法及び交換機システムに関する。
【０００２】
【従来の技術】
従来より、一又は二以上の加入者電話を収容するリモート側交換機（ＡＮ：Ａｃｃｅｓｓ  Ｎｅｔｗｏｒｋ）が、ホスト側交換機（ＬＥ：Ｌｏｃａｌ  Ｅｘｃｈａｎｇｅ）にＶ５インタフェースで接続された交換機システムが知られている。ここで、Ｖ５インタフェースは、欧州電気通信標準化協会（Ｅｕｒｏｐｅａｎ  Ｔｅｌｅｃｏｍｍｕｎｉｃａｔｉｏｎｓ  Ｓｔａｎｄａｒｄ  Ｉｎｓｔｉｔｕｔｅ）が発行する規格書ＥＴＳ  ３００  ３２４−１及びＥＴＳ  ３００  ３４７−１に規定されたインタフェース仕様であり、また、国際電気通信連合電気通信標準化部門（ＩＴＵ−Ｔ）勧告Ｇ９６４とＧ９６５に規定されたインタフェース仕様であり、Ｖ５．１とＶ５．２とからなる。
【０００３】
上記のリモート側交換機（ＡＮ）には、そのＡＮが収容する加入者電話機（加入者端末）の回線の種類（アナログ回線又はディジタル回線）その他の情報が蓄積されている。また、ホスト側交換機（ＬＥ）には、そのＬＥが接続されるすべてのＡＮが有する加入者端末情報が蓄積されている。これらＡＮとＬＥとの間では、各々６４ｋｂｐｓであるタイムスロット３２個を基本単位とするＶ５インタフェースで、音声データなどのディジタルデータを伝送する。また、制御データは、特定のタイムスロット（コミュニケーションチャネル）で伝送される。
【０００４】
上記のＡＮとＬＥがＶ５インタフェースで接続された交換機システムにおいて、何らかの原因によりＡＮが動作しなくなった場合、従来はシステムを復旧するために、保守員がＡＮの所まで出向いていき、そのＡＮに取り付けられているリセットボタンを直接押すことにより、リセットを行うようにしている。このリセットによりＡＮが初期化され、加入者電話機の回線情報などのＡＮにて蓄積されている情報がクリアされるが、ＡＮ自体を動作させるためのプログラムはクリアされず、Ｖ５インタフェースの勧告に基づき、リスタート動作がＬＥ側とＡＮ側の両方で実施される。
【０００５】
このリスタート動作とは、ＬＥ側若しくはＡＮ側でリセットが実施された場合、又はその間の信号を伝送する信号線が切断／復旧した場合に必ず行われ、このリスタート動作により加入者電話機の回線情報などがＬＥ側及びＡＮ側双方で一致するようなデータの送受信が行われる。実際は、すべての情報はＬＥ側が持っているため、ＬＥからＡＮ方向へ加入者電話機の情報のやり取りが行われ、受信完了の旨がＡＮからＬＥ方向へ送信される。
【０００６】
【発明が解決しようとする課題】
しかるに、上記の従来の交換機システムでは、単一又は複数のリモート交換機（ＡＮ）のリセットを行うために、ＬＥに対して遠隔地に設置されたＡＮの所まで保守員が出向く必要があり、移動に時間がかかり、即座にリセットができないという問題がある。また、複数のＡＮに対して同時にリセットしようとしても、上記の移動時間がかかることから同時にリセットすることができない。
【０００７】
本発明は以上の点に鑑みなされたもので、リセットの必要性が生じたときに直ちにリモート側交換機をリセットし得るリモート側交換機のリセット方法及び交換機システムを提供することを目的とする。
【０００８】
また、本発明の他の目的は、複数のリモート側交換機を同時にリセットし得るリモート側交換機のリセット方法及び交換機システムを提供することにある。
【０００９】
【課題を解決するための手段】
上記の目的を達成するため、本発明のリセット方法は、ホスト側交換機がＶ５インタフェースで接続されている一又は二以上のリモート側交換機のうち、リセットの必要性があるリモート側交換機に対してＬＡＰＶ５プロトコル上のレイヤ２のリンク確立時に送信される特定のメッセージをリセット要求データとして定めて送信する第１のステップと、リセット要求データを受信したリモート側交換機が自律的にリセット動作を行う第２のステップとを含むことを特徴とする。
【００１０】
また、上記の目的を達成するため、本発明の交換機システムは、単一のホスト側交換機と、ホスト側交換機内のＶ５関連メッセージの一又は二以上の終端装置に対応してＶ５インタフェースで接続された一又は二以上のリモート側交換機とよりなり、リモート側交換機はそれぞれ一又は二以上の加入者電話機を収容する交換機システムにおいて、ホスト側交換機は、一又は二以上のリモート側交換機のうちリセットの必要性があるリモート側交換機に対してＬＡＰＶ５プロトコル上のレイヤ２のリンク確立時に送信される特定のメッセージをリセット要求データとして定めて終端装置を介して送信する送信手段を有し、リモート側交換機は、特定のメッセージを受信したときは自律的にリセットするリセット手段を備える構成としたものである。
【００１１】
本発明のリモート側交換機のリセット方法及び交換機システムでは、ＬＡＰＶ５プロトコル上のレイヤ２のリンク確立時に送信される特定のメッセージをリセット要求データとして定めてリモート側交換機へ送信し、リモート側交換機ではこの特定のメッセージを受信したときにリセット動作を行うようにしたため、リモート側交換機の設置場所まで行かなくても、また、レイヤ２リンクが確立していなくてもホスト側交換機からの制御によりリモート側交換機をリセットすることができる。
【００１２】
また、上記の目的を達成するため、本発明はリセットの必要性があるリモート側交換機が複数ある場合は、リセットの必要性がある複数のリモート側交換機に対して、同一の内容の特定のメッセージをリセット要求データとして、同時に出力することを特徴とする。この発明では、複数のリモート側交換機を同時にリセットすることができる。
【００１３】
また、上記の目的を達成するため、本発明はリセット要求データとする特定のメッセージとして、レイヤ２のリンク確立時に送信されるメッセージを定めて送信することを特徴とする。この発明では、レイヤ２のリンクが確立していなくてもリセット要求データをホスト側交換機から送信してリセットの必要性があるリモート側交換機をリセットすることができる。
【００１４】
【発明の実施の形態】
次に、本発明の実施の形態について図面と共に説明する。図１は本発明になる交換機システムの一実施の形態のブロック図を示す。この実施の形態は、前述したＥＴＳ３００  ３２４−１（Ｖ５．１）及びＥＴＳ３００  ３４７−１（Ｖ５．２）に規定されるデータリンクレイヤ（ＬＡＰＶ５）プロトコルを用いた交換機システムを示している。
【００１５】
図１において、ホスト側交換機（ＬＥ）１は、Ｖ５関連メッセージの終端装置２１〜２ｎと、Ｖ５インタフェースの制御を行うシステムマネージャ３と、通話路スイッチ４とより大略構成されている。また、リモート側交換機（ＡＮ）５１、５ｍは、ＬＡＰＶ５プロトコルを用いてホスト側交換機（ＬＥ）１内でＬＡＰＶ５プロトコルを終端する終端装置２１、２ｎに接続されると共に、各々加入者電話機６１〜６ｊ、７１〜７ｋを収容している。
【００１６】
この交換機システムでは、ＬＥ１を制御しているシステムマネージャ３からの指示によって、リモート側交換機（ＡＮ）５１、５ｍ内のスイッチを切り替えることにより、▲１▼同一リモート側交換機（ＡＮ）内に収容されている他の加入者電話機に接続する、▲２▼ホスト側交換機（ＬＥ）１内の通話路スイッチ４及びリモート側交換機５１、５ｍ内のスイッチを切りえることにより、ホスト側交換機（ＬＥ）１に搭載されている終端装置２１〜２ｎと接続しているすべてのリモート側交換機５１、５ｍが収容している加入者電話機に接続する。このようにして、交換機としての機能を実現している。
【００１７】
図２は上記の交換機システム上でホスト側交換機（ＬＥ）１とリモート側交換機（ＡＮ）５１（又は５ｍ）との間の通信を行う際に用いられるＬＡＰＶ５プロトコルで規定されたデータフォーマットの様式を示す。同図において、データフォーマット中、「ＥＦａｄｄｒ」とは通信を行っているＬＥ１とＡＮ５１との間で取り決めたＩＳＤＮ加入者に対する加入者識別番号である。「ＤＬａｄｄｒ」は、上位層に提供するサービスの種類などを表すＳＡＰＩ（Ｓｅｒｖｉｃｅ  Ａｃｃｅｓｓ  Ｐｏｉｎｔ  Ｉｄｅｎｔｉｆｉｅｒ）と、個々の加入者電話機を示すＴＥＩ（Ｔｅｒｍｉｎａｌ  Ｅｎｄｐｏｉｎｔ  Ｉｄｅｎｔｉｆｉｅｒ）というデータに分かれ、ＥＦａｄｄｒで指定された加入者に対するサービスや電話機の特定情報を含んでいる。
【００１８】
また、「Ｃｏｎｔｒｏｌ」は、ＥＦａｄｄｒで指定された加入者に対してＬＥ１からの指示情報を示す。「Ｉｎｆｏｒｍａｔｉｏｎ」は、Ｃｏｎｔｒｏｌで示された指示に関しての付加情報やより上位レベルのレイヤの情報を含む。「ＦＣＳ」は、上記のすべてのデータが正しいかどうかを示すためのチェック情報である。「ＦＬＡＧ」は上記のすべてのデータの一番前と一番後を示す情報である。
【００１９】
本実施の形態では図２のデータフォーマットにおいて、ＥＦａｄｄｒとＤＬａｄｄｒを「８１７５」、Ｃｏｎｔｒｏｌを「１２７」のような値を持つデータを「リモート側交換機へのリセット要求データ」として定め、更に、図３に示すように、このリセット要求データ１０がＬＥ１からＡＮ５１へ送信された場合、ＡＮ５１では自律的にリセットを行うような機能を持たせる（５ｍ等の他のＡＮも同様）。
【００２０】
そして、上記のリセット要求データ１０の送信に関しての制御をＬＥ１側のシステムマネージャ３が行うことによって、ＬＥ１に接続されたすべてのＡＮ５１、５ｍにリセットの指示を行うことができ、また、その制御を集中管理することができる。ある特定のＡＮ５１に対してリセットを掛けたいときは、そのＡＮ５１の設置場所まで保守員が出向くことなく、ＬＥ１内のシステムマネージャ３から該当ＡＮ５１に対して上記のリセット要求データ１０を送信することでリセットを実現することができる。
【００２１】
なお、通常、ＬＥ１からＡＮ５１、５ｍへメッセージの送信を行うときには、レイヤ２のリンクを確立することが必要であったが、このリセット要求データ１０は、レイヤ２リンクが確立していなくても送信可能である。その理由は、リセット要求データとして定めているメッセージは、Ｃｏｎｔｒｏｌの値が「１２７」である”ＳＡＢＭＥ”というレイヤ２リンク確立時に送信されるメッセージであり、このメッセージはリンクの確立しているか否かに関係なくＡＮ５１、５ｍへ送信できるためである。
【００２２】
従って、本実施の形態によれば、リセット要求データ１０はレイヤ２のリンクが確立していなくても送信でき、またリセット要求データ１０はＬＥ１に接続されているすべてのＡＮに対して、互いに独立して同じメッセージ内容のリセット要求データを並列に送信でき、更にリセット要求データ自体はデータ長が小さく、交換機内で輻輳することなく各ＡＮまで遅延が殆どなく到達するので、リセットの必要性が発生した場合に、複数のＡＮに対して即座にリセットすることができる。
【００２３】
なお、本発明は以上の実施の形態に限定されるものではなく、上記の実施の形態ではメッセージ”ＳＡＢＭＥ”をリセット要求データとして定めているが、リンクが確立されている場合にＬＡＰＶ５の特定のメッセージをリセット要求データとして定めて送信するようにすることも可能である。
【００２４】
【発明の効果】
以上説明したように、本発明によれば、ＬＡＰＶ５プロトコル上の特定のメッセージをリセット要求データとして定めてリモート側交換機へ送信し、リモート側交換機ではこの特定のメッセージを受信したときにリセット動作を行うことにより、保守員がリモート側交換機の設置場所まで行かなくてもホスト側交換機からの制御によりリモート側交換機をリセットできるようにしたため、リセットの必要性が発生したときに直ちにリモート側交換機をリセットすることができ、また、保守員がリセットしようとするリモート側交換機の設置場所まで行く費用なども不要にできる。
【００２５】
また、本発明によれば、同一の特定のメッセージをリセット要求データとして互いに独立して並列に出力することで、複数のリモート側交換機を同時にリセットすることができ、更に、レイヤ２のリンクが確立していなくてもリセット要求データをホスト側交換機から送信してリセットの必要性があるリモート側交換機を遅延が殆ど無い状態で直ちにリセットすることができる。
【図面の簡単な説明】
【図１】本発明システムの一実施の形態のブロック図である。
【図２】図１の実施の形態で伝送されるデータフォーマットの一例を示す図である。
【図３】図１の実施の形態でリセット要求データとして定められたデータフォーマットを示す図である。
【符号の説明】
１  ホスト側交換機（ＬＥ）
２１〜２ｎ  Ｖ５関連メッセージの終端装置
３  システムマネージャ
４  通話路スイッチ
５１、５ｍ  リモート側交換機（ＡＮ）
６１〜６ｊ、７１〜７ｋ  加入者電話機
１０  リセット要求データ
【図１】
0003632612.tif 000002
【図２】
0003632612.tif 000003
【図３】
0003632612.tif 000004